(57)【特許請求の範囲】
【請求項１】
露光部から感光材料が送り出される送り出し経路上にチャッキング部材を待機させ、前記露光部から送り出された感光材料を待機位置のチャッキング部材でチャッキングし、かつ、前記チャッキング部材より前記露光部側において当該感光材料を矯正部材で矯正した状態で、チャッキング部材と伴に移動させて次の処理部に送り込むよう構成されている感光材料の搬送装置であって、
前記矯正部材が、感光材料に接触して感光材料の姿勢を矯正する接触姿勢と、感光材料から離間する退避姿勢とに切換え自在に構成されると共に、
前記露光部から感光材料が送り出される際には、前記矯正部材を退避姿勢に切換えて感光材料との接触を回避して前記矯正部材から感光材料の搬送を妨げる方向に作用する抵抗を減ずる、あるいは、取り除く抵抗軽減手段を備えている感光材料の搬送装置。
【請求項２】
前記チャッキング部材が、感光材料をチャッキングするチャッキング姿勢と、感光材料から離間する離間姿勢とに切換え自在に構成されると共に、露光部から感光材料が送り出される際には、チャッキング部材を離間姿勢に切り換えて感光材料の通過空間を確保するよう前記抵抗軽減手段が構成されている請求項１記載の感光材料の搬送装置。
【請求項３】
前記チャッキング部材が一対のローラで構成され、前記矯正部材が遊転ローラを備えて構成されると共に、チャッキングした感光材料をローラの回転で搬送する駆動手段を備えている請求項１又は２に記載の感光材料の搬送装置。
【発明の詳細な説明】
【０００１】
【発明の属する技術分野】
本発明は、露光部から感光材料が送り出される送り出し経路上にチャッキング部材を待機させ、前記露光部から送り出された感光材料を待機位置のチャッキング部材でチャッキングし、かつ、矯正部材で矯正した状態で、チャッキング手段と伴に移動させて次の処理部に送り込むよう構成されている感光材料の搬送装置に関する。
【０００２】
【従来の技術】
上記のように構成された感光材料の搬送装置として特開平１１‐３５２６６２号公報、あるいは、特開平１１‐３５２６６４号公報に示されるものが存在し、何れの従来例とも、露光部で露光された感光材料としてのシート状の印画紙が露光部から送り出される際には、この送り出し経路上にチャッキング部材としての一対のローラを待機させておき、露光部から送り出された印画紙をローラの回転によってローラの間を通過させると共に、このローラを通過した印画紙に対して、このローラ支持する部材に備えた突起に接触させることで印画紙の姿勢の矯正を行い、又、この一対のローラで印画紙の後端近くをチャッキングし、このチャッキング状態で印画紙を上方に移動し、突起の接触によって印画紙の姿勢を矯正した状態で現像処理部に送り込むよう作動形態が設定されている。
【０００３】
【発明が解決しようとする課題】
前述した従来例では、写真フィルムを透過させた光線を光学レンズを介して印画紙に導き露光を行うよう露光部が投影式に構成されている。又、これに対して最近開発されつつあるデジタルプリンターでは、デジタル信号化された画像情報に基づいて露光ヘッドを駆動することや、レーザ光源を駆動することによって主走査方向に沿って露光を行いながら感光材料を副走査方向に搬送する処理形態となっている。そこで、このような露光処理を行う露光部と、従来の技術で挙げた構造の搬送装置との組み合わせを考えると、露光部とローラとの距離が近い場合には、露光途中の印画紙がローラ、あるいは、突起に接触して感光材料の搬送速度を乱し、露光された印画紙に帯状の露光ムラを発生させる、いわゆる、バンディングが発生するものとなり改善の余地がある。この不都合を解消する簡便な手段として、露光部とローラや突起との距離を大きくし、露光途中の印画紙がローラや突起部との接触を回避することが考えられる。しかし、このように露光部とローラとの距離を大きくした場合には、夫々の中間位置に特別な搬送手段を備える必要性を生ずるばかりでなく、装置全体の大型化に繋がるものとなり現実的でない。
【０００４】
本発明の目的は、主走査方向に露光を行いながら、感光材料を副走査方向に送るよう露光部が構成されても感光材料にバンディングを発生させることのない搬送装置を合理的に構成する点にある。
【０００５】
【課題を解決するための手段】
本発明の第１の特徴（請求項１）は、露光部から感光材料が送り出される送り出し経路上にチャッキング部材を待機させ、前記露光部から送り出された感光材料を待機位置のチャッキング部材でチャッキングし、かつ、前記チャッキング部材より前記露光部側において当該感光材料を矯正部材で矯正した状態で、チャッキング部材と伴に移動させて次の処理部に送り込むよう構成されている感光材料の搬送装置であって、前記矯正部材が、感光材料に接触して感光材料の姿勢を矯正する接触姿勢と、感光材料から離間する退避姿勢とに切換え自在に構成されると共に、前記露光部から感光材料が送り出される際には、前記矯正部材を退避姿勢に切換えて感光材料との接触を回避して前記矯正部材から感光材料の搬送を妨げる方向に作用する抵抗を減ずる、あるいは、取り除く抵抗軽減手段を備える点にあり、その作用、及び、効果は次の通りである。
【０００６】
本発明の第２の特徴（請求項２）は請求項１において、前記チャッキング部材が、感光材料をチャッキングするチャッキング姿勢と、感光材料から離間する離間姿勢とに切換え自在に構成されると共に、露光部から感光材料が送り出される際には、チャッキング部材を離間姿勢に切り換えて感光材料の通過空間を確保するよう前記抵抗軽減手段が構成されている点にあり、その作用、及び、効果は次の通りである。
【０００７】
本発明の第３の特徴（請求項３）は請求項１又は２において、前記チャッキング部材が一対のローラで構成され、前記矯正部材が遊転ローラを備えて構成されると共に、チャッキングした感光材料をローラの回転で搬送する駆動手段を備えている点にあり、その作用、及び、効果は次の通りである。
【０００８】
〔作用〕
【０００９】
上記第１の特徴によると、露光部から感光材料が送り出される際には、抵抗軽減手段が、矯正部材から感光材料に対して搬送を妨げる方向に作用する抵抗を減ずる、あるいは、取り除くので、搬送速度を乱すことなく感光材料を円滑に送るものとなる。つまり、この構成によると、露光部が主走査方向に露光を行いながら副走査方向に感光材料を送り出すよう構成されたもので、この露光部と比較的近接する位置にチャッキング部材を配置して、露光途中の感光材料と接触し得る位置にチャッキング部材と矯正部材とが配置されていても感光材料の搬送速度の乱れを抑制できるものとなる。
つまり、露光部から感光材料が送り出される際には、矯正部材を退避姿勢に切換えることにより、感光材料と矯正部材との接触を回避して、感光材料に対する抵抗を取り除くものとなり、又、この感光材料を次の処理部に送り込む際には矯正部材で感光材料の姿勢を矯正できる。
【００１０】
上記第２の特徴によると、露光部から感光材料が送り出される際には、チャッキング部材を離間姿勢に切換えることにより、感光材料とチャッキング部材との接触を回避して、感光材料に対する抵抗を取り除くものとなる。
【００１１】
上記第３の特徴によると、露光部から送り出された感光材料をローラでチャッキングし、このチャッキング状態でローラの駆動回転によって感光材料を移動させることも可能となる。又、感光材料を次の処理部に送り込む際には、遊転ローラを接触させることで、感光材料の矯正を行いながら遊転ローラの回転により、感光材料を円滑に送ることも可能となる。
【００１２】
〔発明の効果〕
従って、主走査方向に露光を行いながら感光材料を副走査方向に送るよう露光部が構成されていても感光材料にバンディングを発生させることのない搬送装置が合理的に構成されたのである。又、矯正部材から感光材料に作用する抵抗を取り除き、チャッキングされた感光材料を円滑に次の処理部に送り出す搬送装置が合理的に構成されたのである。
【００１３】
【発明の実施の形態】
以下、本発明の実施の形態を図面に基づいて説明する。
図１に示すように、銀塩式の写真フィルム１の夫々のコマの画像情報をＲ、Ｇ、Ｂの３原色に色分解し、デジタル信号化して取り込む画像処理部Ａと、この画像処理部Ａからのコマ画像情報に基づいて印画紙２（感光材料の一例）にプリントを行うプリント処理部Ｂとを備えて写真プリント装置が構成されている。
【００１４】
前記画像処理部Ａは写真フィルム１のコマ画像を取り込むスキャナー３と、取り込んだ画像情報や必要な情報を表示するモニター４とを上部に備えると共に、テーブル５の上面に各種の情報を入力するための操作卓６を備え、テーブル５の下方に汎用コンピュータで成る処理装置７を備えて構成され、この処理装置７はメモリカードやＭＯ等の記憶媒体から画像データを取り込むメディアリーダ８を備えると共に、マイクロプロセッサ、データを記憶するメモリ、データを保存するハードディスク等を内蔵して構成されている。
【００１５】
プリント処理部Ｂは印画紙マガジンＭから供給される印画紙２に露光処理を行って送り出す露光処理部ＥＸを備えると共に、この露光処理部ＥＸからの印画紙２の現像処理を行うように複数の現像処理槽を有した現像処理部ＤＥを備え、又、この現像処理部ＤＥで現像処理された印画紙２を乾燥して送り出す乾燥部ＤＲを備えて構成されている。露光処理部ＥＸはロール状の印画紙２を収めた印画紙マガジンＭの収納部を形成すると共に、この印画紙マガジンＭからの印画紙２をプリントサイズに切断して水平方向に送る横搬送装置ＣＨと、この横搬送装置ＣＨからの印画紙２を水平方向に送りながら露光を行う露光部としての露光装置Ｅｍと、この露光装置から送り出された露光済みの印画紙２を上方に送り、前記現像処理部ＤＥに供給する縦搬送装置ＣＶとを備えて構成されている。
【００１６】
図２に示すように、前記横搬送装置ＣＨは印画紙マガジンＭからの印画紙２を搬送するローラ１１と、この印画紙２を切断するよう剪断位置関係に配置したカッター１２と、このカッター１２で切断された印画紙２をチャッキングして水平方向に送るチャッカー１３とを備えて構成されている。又、露光装置Ｅｍは横搬送装置ＣＨからの印画紙２を受け入れる搬入ローラ１５と、印画紙２に対してレーザ光による走査露光を行う露光機構１６と、この露光機構１６を基準にして搬送上手側と搬送下手側に配置された固定ローラ１７と、この固定ローラ１７に対して圧着する圧着姿勢と、固定ローラ１７から離間する離間姿勢と切換え自在な圧着ローラ１８とを備えて成っている。この露光装置Ｅｍでは、２組の固定ローラ１７と圧着ローラ１８とのうちの少なくとも一方で印画紙２を挟み込み、予め設定された速度で副走査方向に搬送すると同時に露光機構１６によって主走査方向への露光を行うよう露光の処理形態が設定されている。
【００１７】
前記縦搬送装置ＣＶが本発明の搬送装置であり、この縦搬送装置ＣＶは図３〜図６に示すように、上下方向と横方向とに往復作動自在に構成されたチャッキング部材としての、チャッキングローラＣＲを左右に一組ずつ備え、例えば、ＬサイズやＥサイズ等の小さいサイズの印画紙２の搬送を行う際には、露光装置Ｅｍで露光処理された印画紙２が送り出される経路上（図４において左右方向の中央位置Ｙで、露光装置Ｅｍから印画紙が排出される排出レベルＸ）に左右何れか一方のチャッキングローラＣＲを待機させておき、このチャッキングローラＣＲに対して、露光済みの印画紙２を先端側から通過させるよう設定量だけ送り、この印画紙２の後端部をチャッキングローラＣＲでチャッキングした状態で上方に移動させ、この上方への移動途中において印画紙２に対して矯正部材としてのローラ４０（機能は後述する）を接触させることで、印画紙２の姿勢を矯正した状態でチャッキングローラＣＲから前記現像処理部ＤＥの導入ローラに印画紙２を受け渡すものとなっている。尚、この縦搬送装置ＣＶでは印画紙２の後端部をチャッキングして上方に移動させることで、印画紙２の表裏を入れ換えた状態で、その印画紙２を現像処理部ＤＥに送り込むものとなっている。
【００１８】
縦搬送装置ＣＶは、該縦搬送装置ＣＶを保持するベースとなる保持プレート２１を備えると共に、この保持プレート２１に備えた左右一対の縦ガイドレール２２と、この縦ガイドレール２２に沿って上下方向に往復移動自在に支持された板状の搬送体２３と、この搬送体２３を上下に移動させる垂直駆動ベルト２４と、この垂直駆動ベルト２４を駆動するよう保持プレート２１に支持した昇降モータ２５とを備え、又、搬送体２３には前記縦ガイドレール２２と直交する姿勢で、かつ、保持プレート２１の面と平行する姿勢の横向き姿勢の横ガイドレール２６を備え、この横ガイドレール２６に沿って横方向に往復移動自在に移動体２７を支持し、この移動体２７を横方向に移動させる水平駆動ベルト２８と、この水平駆動ベルト２８を駆動するよう搬送体２３に支持された横送りモータ２９とを備えている。尚、左右の昇降モータ２５、左右の横送りモータ２９は夫々とも駆動パルスに比例した量だけ回転するステッピングモータが用いられている。
【００１９】
チャッキングローラＣＲは駆動回転自在な第１ローラ３１と、遊転支承された第２ローラ３２とで構成され、前記移動体２７に対して第１ローラ３１が駆動軸３３を介して回転自在に備えられると共に、この駆動軸３３と一体回転する入力ギヤ３４とが支持されている。又、この移動体２７に対し第１ローラ３１の駆動軸３３の周りで揺動自在に第１揺動部材３５のベース部３５Ａを支持し、又、この第１揺動部材３５の揺動部３５Ｂに対して、駆動軸３３の軸芯と平行姿勢の揺動支軸３６周りで揺動自在に第２揺動部材３７を支持し、この第２揺動部材３７の揺動端側に対して駆動軸３３と平行姿勢の回転支軸３８周りで遊転するよう前記第２ローラ３２を備えている。尚、この第１揺動部材３５は基端部材に対してベース部３５Ａと揺動部３５Ｂとを平行姿勢となるフォーク状に一体形成して構成されている。
【００２０】
更に、この揺動支軸３６周りで揺動自在に揺動片３９を備え、この揺動片３９の揺動端の側に矯正部材としての遊転ローラ４０を備え、第１ローラ３１の近傍位置に対して駆動軸３３に支持される状態で第１ガイド板４１を揺動自在に支持し、第２揺動部材３７に対して対して第２ガイド板４２を支持している。
【００２１】
この縦搬送装置ＣＶでは、第１揺動部材３５と、前記第２揺動部材３７とを図５に示す姿勢に維持するよう、移動体２７と第２揺動部材３５との間、及び、第１揺動部材３５と第２揺動部材３７との間とにバネ４３、４４を備えており、又、遊転ローラ４０を第１ローラ３１、第２ローラ３２でチャッキングされる印画紙２から離間させる方向に付勢力を作用させるバネ４５を揺動片３９に作用させてある。更に、図８に示す如く、チャッキングローラＣＲを排出レベルＸに設定した際には、第１揺動部材３５に接当することで、前記バネ４３の付勢力に抗して第１揺動部材３５を揺動させ、この揺動により第２ローラ３２を第１ローラ３１の上方に配置してチャッキングローラＣＲを露光装置Ｅｍからの印画紙２を受入れ可能な「受入れ姿勢」に設定する接当操作部材５１を備えている。そして、チャッキングローラＣＲを排出レベルＸより高い位置に設定した場合には接当操作部材５１との接当が解除され、バネ４３の付勢力によってチャッキングローラＣＲを第１ローラ３１と第２ローラ３２とが水平姿勢に並列する「水平姿勢」にセットするものとなる。
【００２２】
図３、図４、図５、図７に示すように、前記移動体２７を基準にして露光装置Ｅｍの側に対して左右一対の縦長姿勢のフレーム５２、５２を配置し、この左右のフレーム５２、５２同士をロッド５３で連結すると共に、この左右のフレーム５２、５２同士に亘って横向き姿勢の回転駆動軸５４とカム軸５５とを平行姿勢で配置し、この回転駆動軸５４とカム軸５５とによって上下方向に案内される左右のガイド部材５６を介して上下位置切換え自在に切換え板５７を支持してある。前記回転駆動軸５４の両端部位置には中間ギヤ５８を備え、夫々の中間ギヤ５８と咬合する出力ギヤ５９を左右のフレーム５２、５２夫々に遊転支承してあり、この回転駆動軸５４をベルト６０を介して駆動する駆動モータ６１をフレーム５２に備えている。
【００２３】
前記カム軸５５には切換え板５７を挟む位置に一対の偏芯カム６２、６２を備え、夫々の偏芯カム６２、６２と接触する一対のローラ６３、６３を切換え板５７の側面に備え、このカム軸５５をベルト６４を介して駆動する切換えモータ６５を他方のフレーム５２に備えている。そして、この切換えモータ６５を回転駆動することによって、図７に示す如く、偏芯カム６２の姿勢が変化し、これにより、切換え板５７がガイド部材５６で案内される形態で上下方向に変位し、その結果、切換え板５７の上端の接当部５７Ａのレベルを上側の解除位置Ｕと、下側の圧着位置Ｄとに切換え自在となる。
【００２４】
前記出力ギヤ５９はチャッキングローラＣＲを排出レベルＸに設定した際に、駆動軸３３に備えた前記入力ギヤ３４と、フレーム５２に備えた前記出力ギヤ５９とが咬合する位置関係に設定してあり、一方のチャッキングローラＣＲを中央位置Ｙに設定した状態で、チャッキングローラＣＲを排出レベルＸまで下降させることで、このチャッキングローラＣＲの入力ギヤ３４と、フレーム５２の側の出力ギヤ５９とが咬合して駆動モータ６１の駆動力でチャッキングローラＣＲの第１ローラ３１を駆動できるよう構成されている。
【００２５】
又、チャッキングローラＣＲを排出レベルＸに設定した状態で、切換えモータ６５を駆動して偏芯カム６２からのシフト力で切換え板５７を解除位置Ｕにセットした場合には、図７（ロ）に示すように、切換え板５７の接当部５７Ａが第２揺動部材３７に接当し、前記バネ４４の付勢力に抗して第２ローラ３２を上方に変位させ、この結果、第１ローラ３１との間に印画紙２を通過させ得る空間を形成するものとなる。これとは逆に、切換えモータ６５を駆動して切換え板５７の接当部５７Ａを圧着位置Ｄまで下降した場合には、図７（イ）に示すように、バネ４４の付勢力により第１ローラ３１と第２ローラ３２とを圧着させて印画紙２をチャッキングできる。
【００２６】
図３、図９に示すように、この縦搬送装置ＣＶでは、排出レベルＸに設定されたチャッキングローラＣＲを基準にして反露光装置の側に印画紙２の先端部を下方に案内するガイド板６６を備えており、又、チャッキングローラＣＲを上方に作動させた場合に前記揺動片３９に接当してチャッキングローラＣＲにチャッキングされた印画紙２に遊転ローラ４０を接当させ、該印画紙２の姿勢を矯正するためのガイド部材６７を備えている。又、チャッキングローラＣＲを上方に移動させた際に、チャッキングローラＣＲにチャッキングされた印画紙２を現像処理部ＤＥに送り込むための一対の導入ローラ６８、６８が縦搬送装置ＣＶの上方位置に配置してある。
【００２７】
次に、この縦搬送装置ＣＶの作動形態を説明する。露光装置Ｅｍで印画紙２の露光が行われる際には、図１０に示すように、この印画紙２のサイズがＬサイズやＥサイズのように小さい場合には、左右何れか一方のチャッキングローラＣＲを排出レベルＸで中央位置Ｙに待機させると共に、他方のチャッキングローラＣＲをホームポジションにセットする。このホームポジションは、そのチャッキングローラＣＲを排出レベルＸから少し上方にセットするよう移動体７のレベルが設定されると共に、このチャッキングローラＣＲを最も外方に変位させたものとなっており、待機位置のチャッキングローラＣＲを、そのまま上昇させた場合でも、夫々のチャッキングローラＣＲ同士が接触しない位置関係となっている。尚、図１０では図中の右側のチャッキングローラＣＲを露光装置Ｅｍからの印画紙２をチャッキング可能な位置にセットし、図中の左側のチャッキングローラＣＲをホームポジションにセットしてある。
【００２８】
このように右側のチャッキングローラＣＲをチャッキング位置にセットした場合には、前記接当操作部材５１との接当によってチャッキングローラＣＲが「受入れ姿勢」に達しており、露光装置Ｅｍでの露光の開始に先立って、切換えモータ６５の駆動力で切換え板５７を上昇させ、接当部５７Ａの接当によって第２揺動部材３７を揺動させ第２ローラ３２を上方に持ち上げることによって、印画紙２を通過させ得る空間を確保する。この状態では遊転ローラ４０も印画紙２が送られる経路から上方に離間した状態となっている。つまり、第１ローラ３１と第２ローラ３２とを離間させて印画紙２の通過を許す空間を形成するための構造と、昇降自在に構成された切換え板５７とで抵抗軽減手段が構成されている。
【００２９】
このような状態で露光装置Ｅｍで露光を開始することによって、露光装置Ｅｍで露光された印画紙２の先端部に対してチャッキングローラＣＲを構成する第１ローラ３１も第２ローラ３２も接触することが無く、又、この印画紙２の先端に対して遊転ローラ４０も接触しない。この状態で印画紙２が送られる量はプリントされる印画紙２のサイズに対応するが、その印画紙２に対する露光装置Ｅｍからの露光が終了した直後に、切換えモータ６５の駆動で切換え板５７を下降させ、第１ローラ３１と第２ローラとで印画紙２を圧着すると共に、駆動モータ６１の駆動力で第１ローラ３１を回転させ圧着状態の印画紙２を更に送り、印画紙２の後端部がチャッキングローラＣＲの位置に達したタイミングで駆動モータ６１を停止させることで、チャッキングローラＣＲで印画紙２をチャッキングする状態に維持する。又、この制御を行う際には、印画紙２の端部を検出するセンサを用いることや、露光装置Ｅｍから送られる印画紙２のサイズに基づいて駆動モータ６１の駆動量を設定する等の制御を行うことでチャッキングのタイミングが設定される。
【００３０】
この処理が終了した時点で、印画紙２の先端部はガイド板６６で下方に案内され、下方に向かう姿勢となっており、この後、昇降モータ２５を駆動してチャッキングローラＣＲでチャッキングされた印画紙２を上方に持ち上げる作動が開始される。又、導入ローラ６８、６８は現像処理部ＤＥに対して印画紙２を圧着状態で導入するように左右に振り分けた２箇所に一対ずつ配置してあり、現像処理部ＤＥは印画紙２を平行となる２列の経路を送りながら現像処理を行えるよう搬送経路が形成されている。そして、図１１、１２に示すように右側のチャッキングローラＣＲは右側の導入ローラ６８に印画紙２を受け渡し、左側のチャッキングローラＣＲは左側の導入ローラ６８に印画紙２を受け渡す処理が行われる。
【００３１】
つまり、移動体２７を上昇させる制御時には、上昇作動の初期に第１揺動部材３５に対する接当操作部材５１の接当が解除され、バネ４３の付勢力でチャッキングローラＣＲが水平姿勢となり、このチャッキングローラＣＲから印画紙２が垂れ下がる形態で上方への搬送が開始される。この上昇作動時には横送りモータ２９を駆動して移動体２７を外方（中央位置Ｙから外方に離れる方向）に移動させる制御が行われ、この制御と上昇制御とが合成されることによりチャッキングローラＣＲは図１２に矢印で示すように斜め上方に移動する。
【００３２】
この上方制御時には、揺動片３９がガイド部材６７に摺接して図９に示すように、遊転ローラ４０を印画紙２の乳剤側に接触させることで、この印画紙２が円弧状に湾曲する傾向を解消するよう姿勢の矯正を行い、このように矯正が為された状態で印画紙２の端部（露光装置Ｅｍからの送り出し方向で後端側）を導入ローラ６８に送り込むものとなっている。又、図面において右側のチャッキングローラＣＲから導入ローラ６８に対して印画紙２を送り込む処理を行っている際に、次の印画紙２が露光装置Ｅｍから送り出されるものであるが、これに対応するよう、同処理では、右側のチャッキングローラＣＲの上昇制御を開始した直後には、左側のチャッキングローラＣＲを下降させ露光装置Ｅｍから印画紙２が送り出される位置に待機させる処理が同時に行われる。
【００３３】
この後、次の印画紙２が露光装置Ｅｍから送り出された際には、前述した処理と同様の処理を左側のチャッキングローラＣＲに対する処理においても行い、この左側のチャッキングローラＣＲでチャッキングした印画紙２を図１３、図１４に示すように、左側の導入ローラ６８に受け渡す処理を行い、又、図１５に示すように、右側のチャッキングローラＣＲを排出レベルＸで中央位置Ｙの待機位置に戻す制御を行うことで、露光装置Ｅｍから送り出された印画紙２を右、左のチャッキングローラＣＲで交互にチャッキングして現像処理部ＤＥに送り込めるものとなっている。又、図面には示さないが露光装置Ｅｍで大きいサイズの印画紙２の露光を行う場合には、印画紙２が送り出される中心線を基準にして左右のチャッキングローラＣＲを振り分ける位置に待機させ、前述と同様に夫々のチャッキングローラＣＲの第１ローラ３１と第２ローラ３２との間隔を拡大した状態で印画紙２を通過させ、この印画紙２の後端部近くの左右位置を左右のチャッキングローラＣＲでチャッキングして上方に搬送し、左右の導入ローラ６８、６８に対して同時に受け渡す処理が行われるものとなっている。
【００３４】
以上の説明で特に説明していないが、左右のチャッキングローラＣＲをホームポジションで停止させる際、あるいは、チャッキングローラＣＲを中央位置まで移動させる際、チャッキングローラＣＲを排出レベルＸまで下降させる際等の制御を行う際にはセンサによって作動対象の位置を検出すること、あるいは、特定の基準を基にして決まった数のパルス信号を夫々のモータに送ることにより必要とする量だけ駆動対象を作動させている。
【００３５】
このように、本発明では、露光装置Ｅｍがレーザ光線の走査による露光を行うものや、主走査方向に沿ってライン状に露光を行う露光ヘッドを備えたもののように、印画紙２を副走査方向に向けて決まった速度で送る形態で露光を行う構成のものであっても、露光装置Ｅｍから送り出される印画紙２に対して縦搬送装置ＣＶを構成する部材、具体的には第１ローラ３１、第２ローラ３２、遊転ローラ４０の何れも接触しない状態に維持してバンディングを解消し、良好な状態での露光を可能にするものとなっている。そして、露光装置Ｅｍで露光を終えたタイミングでチャッキングローラＣＲで印画紙２をチャッキングして印画紙２の後端側の所定位置をチャッキングする状態に達するまで印画紙２を搬送し、この印画紙の後端を上方に持ち上げる形態で搬送した際には、現像処理部ＤＥの導入ローラ６８に印画紙２を受け渡すタイミングで印画紙２に対して遊転ローラ４０を接触させることで印画紙２の姿勢を矯正して円滑に印画紙２を受け渡すことを可能にしている。
【００３６】
〔別実施の形態〕
本発明は上記実施の形態以外に、例えば、露光装置Ｅｍから送り出された印画紙２が接触することで、印画紙２に対して殆ど抵抗を作用させることなく、その印画紙２の送り出し経路外にローラが変位するようローラに作用する付勢力を切換えるよう構成するものであっても良く、又、チャッキング部材として開閉自在な爪状の部材を用いることも可能である。
【図面の簡単な説明】
【図１】  写真プリント装置の概略図
【図２】  印画紙マガジンから露光装置に印画紙を送る搬送系の側面図
【図３】  縦搬送装置の側面図
【図４】  縦搬送装置の正面図
【図５】  縦搬送装置の一部の斜視図
【図６】  チャッキングローラの部位の分解状態と組み立て状態とを示す斜視図
【図７】  圧着状態と離間状態とにおけるチャッキングローラの側面図
【図８】  水平姿勢と受入れ姿勢とにおけるチャッキングローラの側面図
【図９】  遊転ローラの姿勢切換え構造を示す側面図
【図１０】  縦搬送装置での印画紙の搬送形態を示す正面図
【図１１】  縦搬送装置での印画紙の搬送形態を示す正面図
【図１２】  縦搬送装置での印画紙の搬送形態を示す正面図
【図１３】  縦搬送装置での印画紙の搬送形態を示す正面図
【図１４】  縦搬送装置での印画紙の搬送形態を示す正面図
【図１５】  縦搬送装置での印画紙の搬送形態を示す正面図
【符号の説明】
２              感光材料
３１、３２      ローラ
４０            矯正部材、遊転ローラ
６１            駆動手段
ＣＲ            チャッキング手段
【図１】
0004269204.tif 000002
【図２】
0004269204.tif 000003
【図３】
0004269204.tif 000004
【図４】
0004269204.tif 000005
【図５】
0004269204.tif 000006
【図６】
0004269204.tif 000007
【図７】
0004269204.tif 000008
【図８】
0004269204.tif 000009
【図９】
0004269204.tif 000010
【図１０】
0004269204.tif 000011
【図１１】
0004269204.tif 000012
【図１２】
0004269204.tif 000013
【図１３】
0004269204.tif 000014
【図１４】
0004269204.tif 000015
【図１５】
0004269204.tif 000016